(57)【特許請求の範囲】
【請求項１】
（Ａ）媒体を搬送方向に搬送する搬送部と、
（Ｂ）前記媒体に背景色インクを噴射するノズルが前記搬送方向に沿って並ぶ上流側背景色ノズル列と、
（Ｃ）前記媒体にカラーインクを噴射するノズルが前記搬送方向に沿って並ぶ上流側カラーノズル列と、
（Ｄ）前記搬送方向について前記上流側背景色ノズル列よりも下流側に設けられる下流側背景色ノズル列と、
（Ｅ）前記媒体に前記カラーインクを噴射するノズルが前記搬送方向に沿って並ぶ下流側カラーノズル列と、
（Ｆ）前記搬送方向と交差する交差方向に前記上流側背景色ノズル列と前記上流側カラーノズル列と前記下流側背景色ノズル列と前記下流側カラーノズル列とを移動させる移動部と、
（Ｇ）前記上流側背景色ノズル列と前記下流側カラーノズル列からそれぞれのインクを噴射可能とし、前記搬送方向に関する領域において、前記媒体上に前記背景色インクを着弾させてから前記カラーインクを着弾させることができる背景画像先印刷と、
前記上流側カラーノズル列と前記下流側背景色ノズル列からそれぞれのインクを噴射可能とし、前記搬送方向に関する領域において、前記媒体上に前記カラーインクを着弾させてから前記背景色インクを着弾させることができる背景画像後印刷と、
を行わせる制御部であって、
前記背景画像先印刷と前記背景画像後印刷を切り替えて印刷させ、１回のパスにおいて前記上流側カラーノズル列または前記下流側カラーノズル列が、前記背景画像先印刷を行う領域及び前記背景画像後印刷を行う領域に掛かる場合には、前記上流側カラーノズル列と前記下流側カラーノズル列の両方を使用する制御部と、
を備える印刷装置。
【請求項２】
前記背景画像先印刷と前記背景画像後印刷との間に、前記背景画像及び前記カラー画像のいずれか一方を形成する単独領域の印刷を行わせる、請求項１に記載の印刷装置。
【請求項３】
前記上流側背景色ノズル列と前記下流側背景色ノズル列と前記上流側カラーノズル列と前記下流側カラーノズル列は、前記交差方向に一体に移動する、請求項１又は２に記載の印刷装置。
【請求項４】
前記交差方向の移動のうち往路方向及び復路方向のいずれか一方の方向においてインクを噴射する、請求項１〜３のいずれかに記載の印刷装置。
【請求項５】
前記背景色インクは白色のインクである、請求項１〜４のいずれかに記載の印刷装置。
【請求項６】
前記背景色インクはメタリック調のインクである、請求項１〜４のいずれかに記載の印刷装置。
【請求項７】
前記制御部は、前記背景画像先印刷では、前記上流側カラーノズル列を用いて背景画像の調色を行わせ、前記背景画像後印刷では、前記下流側カラーノズル列を用いて背景画像の調色を行わせる、請求項１〜６に記載の印刷装置。
【請求項８】
（Ａ）媒体を搬送方向に搬送する搬送部と、
（Ｂ）前記媒体に背景色インクを噴射するノズルが前記搬送方向に沿って並ぶ上流側背景色ノズル列と、
（Ｃ）前記媒体にカラーインクを噴射するノズルが前記搬送方向に沿って並ぶ上流側カラーノズル列と、
（Ｄ）前記搬送方向について前記上流側背景色ノズル列よりも下流側に設けられる下流側背景色ノズル列と、
（Ｅ）前記媒体に前記カラーインクを噴射するノズルが前記搬送方向に沿って並ぶ下流側カラーノズル列と、
（Ｆ）前記搬送方向と交差する交差方向に前記上流側背景色ノズル列と前記上流側カラーノズル列と前記下流側背景色ノズル列と前記下流側カラーノズル列とを移動させる移動部と、
（Ｇ）前記上流側背景色ノズル列と前記下流側カラーノズル列からそれぞれのインクを噴射可能とし、前記搬送方向に関する領域において、前記媒体上に前記背景色インクを着弾させてから前記カラーインクを着弾させることができる背景画像先印刷と、
前記上流側カラーノズル列と前記下流側背景色ノズル列からそれぞれのインクを噴射可能とし、前記搬送方向に関する領域において、前記媒体上に前記カラーインクを着弾させてから前記背景色インクを着弾させることができる背景画像後印刷と、
を行わせる制御部と、
を備えた印刷装置における印刷方法であって、
前記背景画像先印刷と前記背景画像後印刷を切り替えて印刷させ、１回のパスにおいて前記上流側カラーノズル列または前記下流側カラーノズル列が、前記背景画像先印刷を行う領域及び前記背景画像後印刷を行う領域に掛かる場合には、前記上流側カラーノズル列と前記下流側カラーノズル列の両方を使用することと、
を含む印刷方法
【発明の詳細な説明】
【技術分野】
【０００１】
本発明は、印刷装置及び印刷方法に関する。
【背景技術】
【０００２】
インクを噴射するヘッドを移動させ印刷を行うインクジェットプリンタが開発されてい
る。このようなプリンターの中には、例えば白色インクを噴射して背景画像を形成し、さ
らにカラーインクを噴射してカラー画像を形成することができるものがある。
【先行技術文献】
【特許文献】
【０００３】
【特許文献１】特開２０１０−５８７８号公報
【発明の概要】
【発明が解決しようとする課題】
【０００４】
印刷領域においては、背景画像を先に形成した後にカラー画像を形成する領域（背景画
像先印刷領域）と、カラー画像を形成した後に背景画像を形成する領域（背景画像後印刷
領域）と、が存在する。そうすると、背景画像先印刷領域の印刷と背景画像後印刷領域の
印刷とを適切に切り替えて印刷を行うことが望まれる。  
本発明は、このような事情に鑑みてなされたものであり、所謂背景画像先印刷領域と背
景画像後印刷領域との印刷を適切に切り替えて行うことを目的とする。
【課題を解決するための手段】
【０００５】
上記目的を達成するための主たる発明は、
（Ａ）媒体を搬送方向に搬送する搬送部と、
（Ｂ）前記媒体に背景色インクを噴射するノズルが前記搬送方向に沿って並ぶ上流側背景
色ノズル列と、
（Ｃ）前記媒体にカラーインクを噴射するノズルが前記搬送方向に沿って並ぶ上流側カラ
ーノズル列と、
（Ｄ）前記搬送方向について前記上流側背景色ノズル列よりも下流側に設けられる下流側
背景色ノズル列と、
（Ｅ）前記媒体に前記カラーインクを噴射するノズルが前記搬送方向に沿って並ぶ下流側
カラーノズル列と、
（Ｆ）前記搬送方向と交差する交差方向に前記上流側背景色ノズル列と前記上流側カラー
ノズル列と前記下流側背景色ノズル列と前記下流側カラーノズル列とを移動させる移動部
と、
（Ｇ）前記上流側背景色ノズル列と前記下流側カラーノズル列からそれぞれのインクを噴
射可能とし、前記搬送方向に関する領域において、前記媒体上に前記背景色インクを着弾
させてから前記カラーインクを着弾させることができる背景画像先印刷と、
前記上流側カラーノズル列と前記下流側背景色ノズル列からそれぞれのインクを噴射可
能とし、前記搬送方向に関する領域において、前記媒体上に前記カラーインクを着弾させ
てから前記背景色インクを着弾させることができる背景画像後印刷と、
を行わせる制御部であって、
１つの前記媒体において前記背景画像先印刷と前記背景画像後印刷とを切り替えて印刷
させる制御部と、
を備える印刷装置である。
【０００６】
本発明の他の特徴については、本明細書及び添付図面の記載により明らかにする。
【図面の簡単な説明】
【０００７】
【図１】プリンター１の全体構成ブロック図である。
【図２】プリンター１の斜視図である。
【図３】ヘッド４１の下面に設けられるノズルの配列を示す図である。
【図４】本実施形態における印刷モードを説明する図である。
【図５Ａ】切り替えパターン１の第１説明図である。
【図５Ｂ】切り替えパターン１の第２説明図である。
【図６Ａ】切り替えパターン２の第１説明図である。
【図６Ｂ】切り替えパターン２の第２説明図である。
【図７Ａ】切り替えパターン２の第３説明図である。
【図７Ｂ】切り替えパターン２の第４説明図である。
【発明を実施するための形態】
【０００８】
本明細書及び添付図面の記載により、少なくとも、以下の事項が明らかとなる。
【０００９】
（Ａ）媒体を搬送方向に搬送する搬送部と、
（Ｂ）前記媒体に背景色インクを噴射するノズルが前記搬送方向に沿って並ぶ上流側背景
色ノズル列と、
（Ｃ）前記媒体にカラーインクを噴射するノズルが前記搬送方向に沿って並ぶ上流側カラ
ーノズル列と、
（Ｄ）前記搬送方向について前記上流側背景色ノズル列よりも下流側に設けられる下流側
背景色ノズル列と、
（Ｅ）前記媒体に前記カラーインクを噴射するノズルが前記搬送方向に沿って並ぶ下流側
カラーノズル列と、
（Ｆ）前記搬送方向と交差する交差方向に前記上流側背景色ノズル列と前記上流側カラー
ノズル列と前記下流側背景色ノズル列と前記下流側カラーノズル列とを移動させる移動部
と、
（Ｇ）前記上流側背景色ノズル列と前記下流側カラーノズル列からそれぞれのインクを噴
射可能とし、前記搬送方向に関する領域において、前記媒体上に前記背景色インクを着弾
させてから前記カラーインクを着弾させることができる背景画像先印刷と、
前記上流側カラーノズル列と前記下流側背景色ノズル列からそれぞれのインクを噴射可
能とし、前記搬送方向に関する領域において、前記媒体上に前記カラーインクを着弾させ
てから前記背景色インクを着弾させることができる背景画像後印刷と、
を行わせる制御部であって、
１つの前記媒体において前記背景画像先印刷と前記背景画像後印刷とを切り替えて印刷
させる制御部と、
を備える印刷装置。  
このようにすることで、所謂背景画像先印刷領域と背景画像後印刷領域との印刷を適切
に切り替えて行うことができる。
【００１０】
かかる印刷装置であって、背景画像先印刷と前記背景画像後印刷との間に、前記背景画
像及び前記カラー画像のいずれか一方を形成する単独領域の印刷を行わせることが望まし
い。  
このようにすることによって、単独領域の印刷を含めて背景画像先印刷と背景画像後印
刷とを切り替えることができる。
【００１１】
また、前記上流側背景色ノズル列と前記下流側背景色ノズル列と前記上流側カラーノズ
ル列と前記下流側カラーノズル列は、前記交差方向に一体に移動することが望ましい。  
このようにすることによって、各ノズルを１つのヘッドに搭載することができる。
【００１２】
また、前記交差方向の移動のうち往路方向及び復路方向のいずれか一方の方向において
インクを噴射することが望ましい。  
このようにすることによって、適切に背景先印刷と背景後印刷を行うことができる。
【００１３】
また、前記背景色インクは白色のインクであることが望ましい。  
このようにすることによって、白色をベースとした背景画像を形成することができる。
【００１４】
また、前記背景色インクはメタリック調のインクであることとしてもよい。  
このようにすることによって、メタリックをベースとした背景画像を形成することがで
きる。
【００１５】
また、前記制御部は、前記背景画像先印刷では、前記上流側カラーノズル列を用いて背
景画像の調色を行わせ、前記背景画像後印刷では、前記下流側カラーノズル列を用いて背
景画像の調色を行わせることが望ましい。  
このようにすることによって、背景画像先印刷においても背景画像後印刷においても、
適切に背景画像を調色することができる。
【００１６】
（Ａ）媒体を搬送方向に搬送する搬送部と、
（Ｂ）前記媒体に背景色インクを噴射するノズルが前記搬送方向に沿って並ぶ上流側背景
色ノズル列と、
（Ｃ）前記媒体にカラーインクを噴射するノズルが前記搬送方向に沿って並ぶ上流側カラ
ーノズル列と、
（Ｄ）前記搬送方向について前記上流側背景色ノズル列よりも下流側に設けられる下流側
背景色ノズル列と、
（Ｅ）前記媒体に前記カラーインクを噴射するノズルが前記搬送方向に沿って並ぶ下流側
カラーノズル列と、
（Ｆ）前記搬送方向と交差する交差方向に前記上流側背景色ノズル列と前記上流側カラー
ノズル列と前記下流側背景色ノズル列と前記下流側カラーノズル列とを移動させる移動部
と、
（Ｇ）前記上流側背景色ノズル列と前記下流側カラーノズル列からそれぞれのインクを噴
射可能とし、前記搬送方向に関する領域において、前記媒体上に前記背景色インクを着弾
させてから前記カラーインクを着弾させることができる背景画像先印刷と、
前記上流側カラーノズル列と前記下流側背景色ノズル列からそれぞれのインクを噴射可
能とし、前記搬送方向に関する領域において、前記媒体上に前記カラーインクを着弾させ
てから前記背景色インクを着弾させることができる背景画像後印刷と、
を行わせる制御部と、
を備えた印刷装置における印刷方法であって、
前記媒体において前記背景画像先印刷と前記背景画像後印刷を行う領域を判別すること
と、
前記判別の結果に基づいて、前記背景画像先印刷と前記背景画像後印刷とを切り替えて
印刷させることと、
を含む印刷方法。  
このようにすることで、所謂背景画像先印刷領域と背景画像後印刷領域との印刷を適切
に切り替えて行うことができる。
【００１７】
＝＝＝実施形態＝＝＝
以下、印刷装置をインクジェットプリンター（以下、プリンター）とし、プリンターと
コンピューターが接続された印刷システムを例に挙げて実施形態を説明する。
【００１８】
図１は、プリンター１の全体構成ブロック図である。図２は、プリンター１の斜視図で
ある。コンピューター６０は、プリンター１と通信可能に接続されており、プリンター１
に画像を印刷させるための印刷データをプリンター１に出力する。なお、コンピューター
６０には、アプリケーションプログラムから出力された画像データを印刷データに変換す
るためのプログラム（プリンタードライバー）がインストールされている。プリンタード
ライバーは、ＣＤ−ＲＯＭなどの記録媒体（コンピューターが読み取り可能な記録媒体）
に記録されていたり、インターネットを介してコンピューターにダウンロード可能であっ
たりする。
【００１９】
コントローラー１０は、プリンター１の制御を行うための制御ユニットである。インタ
ーフェース部１１はコンピューター６０とプリンター１との間でデータの送受信を行うた
めのものである。ＣＰＵ１２はプリンター１全体の制御を行うための演算処理装置である
。メモリー１３はＣＰＵ１２のプログラムを格納する領域や作業領域等を確保するための
ものである。ＣＰＵ１２はユニット制御回路１４により各ユニットを制御する。なお、プ
リンター１内の状況を検出器群５０が監視し、その検出結果に基づいて、コントローラー
１０は各ユニットを制御する。
【００２０】
搬送ユニット２０は、媒体Ｓを印刷可能な位置に送り込み、印刷時には搬送方向に所定
の搬送量で媒体Ｓを搬送させるものである。  
キャリッジユニット３０は、ヘッド４１を搬送方向と交差する移動方向に移動させるた
めのものであり、キャリッジ３１を有する。
【００２１】
ヘッドユニット４０は、媒体Ｓにインクを噴射するためのものであり、ヘッド４１を有
する。ヘッド４１はキャリッジユニット３０のキャリッジ３１によって移動方向に移動す
る。ヘッド４１の下面には、インク噴射部であるノズルが複数設けられ、各ノズルには、
インクが入ったインク室（不図示）が設けられている。
【００２２】
図３は、ヘッド４１の下面に設けられるノズルの配列を示す図である。なお、図はヘッ
ド４１の上面から仮想的にノズルを見た図である。ヘッド４１の下面には、１８０個のノ
ズルが搬送方向に所定の間隔（ノズルピッチＤ）で並んだノズル列が５列形成されている
。図示するように、白インクを噴射するホワイトノズル列Ｗ・ブラックインクを噴射する
ブラックノズル列Ｋ・シアンインクを噴射するシアンノズル列Ｃ・マゼンタインクを噴射
するマゼンタノズル列Ｍ・イエローインクを噴射するイエローノズル列Ｙが、移動方向に
並んでいる。なお、各ノズル列が有する１８０個のノズルに対して、搬送方向の下流側の
ノズルから順に小さい番号を付す（＃１〜＃１８０）。
【００２３】
このようなプリンター１では、移動方向に沿って移動するヘッド４１からインク滴を断
続的に噴射させて媒体上にドットを形成するドット形成処理と、媒体をヘッド４１に対し
て搬送方向に搬送する搬送処理とが繰り返される。そうすることで、先のドット形成処理
により形成されたドットの位置とは異なる媒体上の位置に、後のドット形成処理にてドッ
トを形成することができ、媒体上に２次元の画像を印刷することができる。なお、ヘッド
４１がインク滴を噴射しながら移動方向に１回移動する動作（１回のドット形成処理・噴
射動作）を「パス」と呼ぶ。
【００２４】
図４は、本実施形態における印刷モードを説明する図である。プリンター１は、カラー
画像を印刷面側から見るように印刷する「背景画像先印刷」と、カラー画像を媒体側（画
像形成側の反対側）から見るように印刷する「背景画像後印刷」を行うことができる。
【００２５】
背景画像先印刷を行うときには、媒体上に先に背景色インクを着弾させた後、背景色イ
ンクの上にカラーインクを着弾させる。一方、背景画像後印刷を行うときには、媒体上に
先にカラーインクを着弾させた後、カラーインクの上に背景色インクを着弾させる。
【００２６】
本実施形態では、上述のような背景画像先印刷と背景画像後印刷を１つの媒体上で切り
替えて行う（以下、切り替え印刷という）ことができるように、ヘッド４１におけるノズ
ルを以下に説明するように用いている。
【００２７】
＜切り替えパターン１＞
図５Ａは、切り替えパターン１の第１説明図であり、図５Ｂは、切り替えパターン１の
第２説明図である。本来、図５Ａと図５Ｂに示される切り替えパターンの説明図は、１つ
の図面であったが、紙面の都合上、２図に分割してある。図５Ａと図５Ｂは、それぞれに
示された符号Ａの太線部分において結合する。このように両図を参照することによって、
切り替えパターン１の全体図が完成する。
【００２８】
図には、ノズルピッチＤのヘッドが示されている。また、図では説明の簡略のため、１
ノズル列に属するノズル数が１０個に減らされて描かれている。また、４色インク（ＹＭ
ＣＫ）を各々噴射するノズル列がまとめて「カラーノズル列Ｃｏ」と示されている。さら
に、図には、媒体の搬送方向が示され、ヘッドの媒体に対する相対的な搬送量が示されて
いる。尚、インクを噴射しているときのヘッドの移動方向（噴射時移動方向）は、紙面の
右側から左側に向かう方向である。
【００２９】
また、各パスが示され、各パスにおいて使用されるノズル番号が、円、三角形、及び、
四角形によって囲まれている。書く記号の意味は次の通りである。  
円：カラー画像を形成するノズル
三角形：背景画像を形成するノズル
四角形：調色に使用することがあるノズル（調色については後述）
尚、調色が行われないときにおいては、四角形の記号が付されたノズルからインクは噴
射されない。
【００３０】
このような条件に従って印刷を行うことによって、白先領域（背景色としての白色がカ
ラー画像よりも先に形成されるため、このように呼ぶ。背景画像先印刷に相当する）の印
刷では、上流側のホワイトノズル列（ノズル＃６〜＃１０）を用いて背景画像を形成しつ
つ、下流側のカラーノズル列（ノズル＃１〜＃５）を用いてカラー画像を形成する。
【００３１】
また、白後領域（背景色としての白色がカラー画像よりも後に形成されるため、このよ
うに呼ぶ。背景画像後印刷に相当する）の印刷では、上流側のカラーノズル列（ノズル＃
６〜＃１０）を用いてカラー画像を形成しつつ、下流側のホワイトノズル列（＃１〜＃５
）を用いて背景画像を形成する。
【００３２】
このように、切り替えパターン１に示されるように印刷を行うことによって、白先領域
の印刷から白後領域の印刷を切り替えて行うことができるようになる。
【００３３】
＜調色について＞
ところで、白インクのみを使用して背景画像を印刷すると、背景画像を印刷する白イン
クの色そのものの色が背景画像の色となる。しかし、同じように白インクと呼ばれるイン
クであっても、インクの材料などによって白色の色味が若干異なる。そのため、使用する
白インクによってユーザーが所望する色とは異なる色の背景画像が印刷されてしまう場合
がある。また、印刷物によっては、単純な白色ではなく、若干の有彩色を有する背景画像
が所望されることもある。また、白い媒体を用いる場合、白い媒体においても、媒体の種
類によって白色の色味が若干異なる。そのため、白い媒体に背景画像を印刷する際に、背
景画像の白色と媒体の白色とが異なると、背景画像が目立ってしまう。
【００３４】
そこで、白インクと共に、少量のカラーインク（ＹＭＣＫ）を適宜使用して、所望の白
色の背景画像（調整された白色の背景画像）を印刷することもできる。例えば、図５Ａ及
び図５Ｂに示す実施形態では、前述のように、四角形の符号で囲われた番号のノズルから
少量のインクを噴射する。このように、白インクとカラーインクで背景画像を印刷するこ
とで、白インクが若干の色彩を有する場合に、その色彩を打ち消すインクと共に背景画像
を印刷することで、背景画像を無彩色に近づけることもできる。
【００３５】
＜切り替えパターン２＞
前述の切り替えパターン１では、白先領域から白後領域への遷移が連続的に行われてい
た。しかしながら、切り替え方法はこれに限られない。例えば、以下に示すように、白先
領域の後に単独領域を設け、その後に白後領域を設けることとしてもよい。ここで、単独
領域とは、カラー画像のみ、又は、背景画像のみが形成される領域である。
【００３６】
図６Ａは、切り替えパターン２の第１説明図であり、図６Ｂは、切り替えパターン２の
第２説明図である。これらは、本来１つの図面であったが、ここでも紙面の都合上、２図
に分割してある。図６Ａと図６Ｂは、それぞれに示された符号Ｂの太線部分において結合
する。このように両図を参照することによって、切り替えパターン２（その１）の全体図
が完成する。尚、切り替えパターン２（その１）の全体図は、白先領域から単独領域へ切
り替わる様子を示すものである。
【００３７】
また、図７Ａは、切り替えパターン２の第３説明図であり、図７Ｂは、切り替えパター
ン２の第４説明図である。これらも、本来１つの図面であったが、ここでも紙面の都合上
、２図に分割してある。図７Ａと図７Ｂは、それぞれに示された符号Ｃの太線部分におい
て結合する。このように両図を参照することによって、切り替えパターン２（その２）の
全体図が完成する。尚、切り替えパターン２（その２）の全体図は、単独領域から白後領
域へ切り替わる様子を示すものである。
【００３８】
ここでは、説明の簡略のため、１ノズル列に属するノズル数が１０個に減らされて描か
れている。さらに、各パスが示され、各パスにおいて使用されるノズル番号が、円、三角
形、及び、四角形によって囲まれている。各記号の意味は次の通りである。  
円：白先領域及び白後領域においてカラー画像を形成するノズル
三角形：背景画像を形成可能なノズル
四角形：単独領域においてカラー画像を形成可能なノズル（但し、白先領域及び白後領
域では調色をするためのカラーインクを噴射することができる）
【００３９】
このようにすることによって、単独領域では、カラー画像のみ又は背景画像のみの印刷
を行うことができるとともに、白先領域から白後領域との間にこのような単独領域を設け
ることとしても、白先領域から白後領域へ適切に切り替えることもできる。
【００４０】
＝＝＝その他の実施の形態＝＝＝
上述の実施形態では、１つのヘッドにおける上流側のノズル列と下流側のノズル列を用
いて説明したが、ヘットは１つに限られない。例えば、上流側に第１ヘッドを設け、下流
側に第２ヘッドを設けることもできる。それぞれのヘッドは、カラーインクのノズル列と
、ホワイトノズル列を備える。このようにすることによっても、第１ヘッドのカラーイン
クのノズル列とホワイトノズル列を上流側のノズル列とすることができ、第２ヘッドのカ
ラーインクのノズル列とホワイトノズル列を下流側のノズル列とすることができる。
【００４１】
上述の実施形態では、印刷装置としてプリンター１が説明されていたが、これに限られ
るものではなくインク以外の他の流体（液体や、機能材料の粒子が分散されている液状体
、ジェルのような流状体）を噴射したり吐出したりする液体吐出装置に具現化することも
できる。例えば、カラーフィルタ製造装置、染色装置、微細加工装置、半導体製造装置、
表面加工装置、三次元造形機、気体気化装置、有機ＥＬ製造装置（特に高分子ＥＬ製造装
置）、ディスプレイ製造装置、成膜装置、ＤＮＡチップ製造装置などのインクジェット技
術を応用した各種の装置に、上述の実施形態と同様の技術を適用してもよい。また、これ
らの方法や製造方法も応用範囲の範疇である。
【００４２】
上記の実施形態は、本発明の理解を容易にするためのものであり、本発明を限定して解
釈するためのものではない。本発明は、その趣旨を逸脱することなく、変更、改良され得
ると共に、本発明にはその等価物が含まれることは言うまでもない。
【００４３】
＜ヘッドについて＞
前述の実施形態では、圧電素子を用いてインクを吐出していた。しかし、液体を吐出す
る方式は、これに限られるものではない。例えば、熱によりノズル内に泡を発生させる方
式など、他の方式を用いてもよい。
【符号の説明】
【００４４】
１  プリンター、１０  コントローラー、１１  インターフェース、
１２  ＣＰＵ、１３  メモリー、１４  ユニット制御回路、
２０  搬送ユニット、３０  キャリッジユニット、
４０  ヘッドユニット、４１  ヘッド、
５０  検出器群、６０  コンピューター
【図１】
0005724240.tif 000002
【図２】
0005724240.tif 000003
【図３】
0005724240.tif 000004
【図４】
0005724240.tif 000005
【図５Ａ】
0005724240.tif 000006
【図５Ｂ】
0005724240.tif 000007
【図６Ａ】
0005724240.tif 000008
【図６Ｂ】
0005724240.tif 000009
【図７Ａ】
0005724240.tif 000010
【図７Ｂ】
0005724240.tif 000011